(57)【要約】【課題】広告主等の情報提供者側から利用者に積極的に広告等の配信情報を見せることを可能にする。【解決手段】配信情報リスト要求に基づいて各配信情報の格納場所を示すＵＲＬアドレスを含む配信情報リストを提供するリスト提供手段１２、配信情報リストに基づく情報配信要求に対してＵＲＬアドレスが示す場所に格納された配信情報を提供する情報提供手段１３を備えた情報配信装置１に対し、利用者端末２は電気通信回線を介して接続し、リスト取得手段２１により配信情報リスト要求を行って配信情報リストを取得し、通常は情報表示手段２３により画面上に配置するフレーム内に配信情報以外の情報を表示するが、所定のタイミングで情報取得手段２２により配信情報リストに基づく情報配信要求を行って配信情報を取得し、情報表示手段２３により所定のタイミングで情報取得手段２２により取得した配信情報をフレーム内に表示する。【選択図】　　　　図１
2004021651.tif 000002
【特許請求の範囲】
【請求項１】
各配信情報の格納場所を示すロケーション情報を含む配信情報リスト、配信情報リスト要求に基づいて前記配信情報リストを提供するリスト提供手段、および、前記配信情報リストに基づく情報配信要求に対して前記ロケーション情報が示す場所に格納された配信情報を提供する情報提供手段を備えた情報配信装置と、
前記情報配信装置に対して配信情報リスト要求を行い、配信情報リストを取得するリスト取得手段、前記情報配信装置に対し、前記取得した配信情報リストに基づく情報配信要求を行い、配信情報を取得する情報取得手段、画面上に配置するフレーム内に、前記情報取得手段により取得した配信情報を表示、または、前記配信情報以外の情報を表示する情報表示手段、および、前記情報取得手段による配信情報の取得および前記情報表示手段による配信情報の表示を、所定のタイミングで行うように制御するタイマ手段を備え、前記情報配信装置に対し、電気通信回線を介して接続可能な利用者端末と
を有する情報配信システム。
【請求項２】
前記情報配信装置は、電気通信回線を介して接続する情報提供者端末により前記配信情報リストを設定可能とする配信設定手段をさらに備えたものである請求項１記載の情報配信システム。
【請求項３】
前記配信情報リストは、各配信情報の配信のタイミングを示す配信スケジュール情報を含むものであり、前記タイマ手段は、前記配信スケジュール情報に基づいたタイミングで制御するものである請求項１または２に記載の情報配信システム。
【請求項４】
前記情報配信装置は、前記情報提供手段による配信情報の提供に関するログをデータベースに記録する手段と、前記データベースから前記ログを取得して解析する手段とをさらに備えたものである請求項１から３のいずれかに記載の情報配信システム。
【請求項５】
各配信情報の格納場所を示すロケーション情報を含む配信情報リスト、配信情報リスト要求に基づいて前記配信情報リストを提供するリスト提供手段、および、前記配信情報リストに基づく情報配信要求に対して前記ロケーション情報が示す場所に格納された配信情報を提供する情報提供手段を備えた情報配信装置に対し、電気通信回線を介して接続可能なコンピュータを、
前記情報配信装置に対して配信情報リスト要求を行い、配信情報リストを取得するリスト取得手段、
前記情報配信装置に対し、前記取得した配信情報リストに基づく情報配信要求を行い、配信情報を取得する情報取得手段、
画面上に配置するフレーム内に、前記情報取得手段により取得した配信情報を表示、または、前記配信情報以外の情報を表示する情報表示手段、
および、前記情報取得手段による配信情報の取得および前記情報表示手段による配信情報の表示を、所定のタイミングで行うように制御するタイマ手段
として機能させるための配信情報表示プログラム。
【請求項６】
前記フレーム内には、前記配信情報のうち動画像を表示する部分と、前記配信情報のうち文字を表示する部分とを有することを特徴とする請求項５記載の配信情報表示プログラム。
【請求項７】
前記配信情報リストは、各配信情報の配信のタイミングを示す配信スケジュール情報を含むものであり、前記タイマ手段は、前記配信スケジュール情報に基づいたタイミングで制御するものであることを特徴とする請求項５または６に記載の配信情報表示プログラム。
【請求項８】
各配信情報の格納場所を示すロケーション情報を含む配信情報リスト、配信情報リスト要求に基づいて前記配信情報リストを提供するリスト提供手段、および、前記配信情報リストに基づく情報配信要求に対して前記ロケーション情報が示す場所に格納された配信情報を提供する情報提供手段を備えた情報配信装置に対し、電気通信回線を介して接続し、配信情報リスト要求を行い、配信情報リストを取得するステップ、
画面上に配置するフレーム内に、前記配信情報以外の情報を表示するステップ、
所定のタイミングで、前記情報配信装置に対し、前記取得した配信情報リストに基づく情報配信要求を行い、配信情報を取得するステップ、
前記所定のタイミングで前記情報取得手段により取得した配信情報を前記フレーム内に表示するステップ
を含む配信情報表示方法。
【発明の詳細な説明】
【０００１】
【発明の属する技術分野】
本発明は、インターネットなどの電気通信回線を利用して広告等の情報を配信するための情報配信システム、配信情報表示プログラムおよび配信情報表示方法に関する。
【０００２】
【従来の技術】
社内や家庭内等にコンピュータが普及するに伴い、インターネットの利用者も年々増加している。特に、ＣＡＴＶ回線、ＡＤＳＬや光ファイバなどの高速回線を用いたブロードバンド・インフラの整備により、アニメーションやビデオ映像等の様々なコンテンツ流通の可能性が広がり、さらなるインターネット利用者の増加が見込まれている。
【０００３】
インターネット利用者の増加によって、インターネットを利用した宣伝、広告も盛んに行われている。従来、インターネットを利用した広告等は、ウェブサイトへのバナー広告の掲載や、ウェブサイトからのビデオ映像等の動画の配信等によって行われている。これらの広告等は、利用者がウェブブラウザを用いて特定のウェブサイトにアクセスすることによって提供される。
【０００４】
例えば、バナー広告には、広告主のホームページや宣伝ページ等へのリンクが設定されている。利用者は、ウェブサイトを閲覧中にバナー広告に興味を持つと、そのバナー広告を指定して、広告主のホームページ等を閲覧する。ビデオ映像等の動画の場合も同様に、動画へのリンクを利用者が指定すると、その動画データが利用者のウェブブラウザにダウンロードされ、利用者によって閲覧可能となる。
【０００５】
【発明が解決しようとする課題】
このように、従来の広告配信は、利用者自身がそのウェブサイトにアクセスする行為に依存して行われる。そのため、広告主はバナー広告等を準備した後、利用者からの積極的なアクセスを待つしかなく、広告主側からは広告する日時や対象を制御することができない。
【０００６】
また、利用者はウェブサイトにアクセスし、興味があるバナー広告等のリンクだけを指定する。そのため、広告主はバナー広告自体を利用者に見せることはできても、そのリンク先にあるホームページ等を見せることはなかなかできないのが現状である。すなわち、広告主は、実際にはバナー広告という非常に狭い限られた枠内でのみ広告を行っているようなものであり、費用対効果をあまり望めない。
【０００７】
そこで、本発明においては、広告主等の情報提供者側から利用者に積極的に広告等の配信情報を見せることが可能な情報配信システム、配信情報表示プログラムおよび配信情報表示方法を提供する。
【０００８】
【課題を解決するための手段】
本発明の情報配信システムは、各配信情報の格納場所を示すロケーション情報を含む配信情報リスト、配信情報リスト要求に基づいて配信情報リストを提供するリスト提供手段、および、配信情報リストに基づく情報配信要求に対してロケーション情報が示す場所に格納された配信情報を提供する情報提供手段を備えた情報配信装置と、情報配信装置に対して配信情報リスト要求を行い、配信情報リストを取得するリスト取得手段、情報配信装置に対し、取得した配信情報リストのロケーション情報に基づく情報配信要求を行い、配信情報を取得する情報取得手段、画面上に配置するフレーム内に、情報取得手段により取得した配信情報を表示、または、配信情報以外の情報を表示する情報表示手段、および、情報取得手段による配信情報の取得および情報表示手段による配信情報の表示を、所定のタイミングで行うように制御するタイマ手段を備え、情報配信装置に対し、電気通信回線を介して接続可能な利用者端末とを有する。
【０００９】
本発明の情報配信システムでは、利用者端末の画面上に配置するフレーム内に、通常はカレンダ、時刻や画像等の配信情報以外の情報を表示しておく。利用者端末は、情報配信装置から配信情報リストを取得し、この配信情報リストのロケーション情報に基づいて所定のタイミングで配信情報を取得し、取得した配信情報を前記カレンダ等に代えてフレーム内に表示する。情報提供者は、利用者に見せたい広告等の配信情報の格納場所を示すロケーション情報を配信情報リストに含ませることによって、利用者端末に所定のタイミングで配信情報リストに基づく広告等の配信情報を配信することができる。
【００１０】
前記利用者端末により実施される配信情報表示方法は、前記情報配信装置に対し、電気通信回線を介して接続し、配信情報リスト要求を行い、配信情報リストを取得するステップ、画面上に配置するフレーム内に、配信情報以外の情報を表示するステップ、所定のタイミングで、情報配信装置に対し、取得した配信情報リストに基づく情報配信要求を行い、配信情報を取得するステップ、所定のタイミングで情報取得手段により取得した配信情報をフレーム内に表示するステップを含むものである。
【００１１】
情報配信装置は、電気通信回線を介して接続する情報提供者端末により配信情報リストを設定可能とする配信設定手段をさらに備えたものとするのが望ましい。情報提供者は、電気通信回線を介して接続する情報提供者端末によって配信情報リストを設定することで、利用者に配信する配信情報の内容を自由に変更することができる。
【００１２】
配信情報リストは、各配信情報の配信のタイミングを示す配信スケジュール情報を含むものであり、タイマ手段は、配信スケジュール情報に基づいたタイミングで制御するものであることが望ましい。情報提供者は、利用者に広告等の配信情報を見せたいタイミングを配信スケジュール情報として配信情報リストに含ませることによって、この配信スケジュール情報に基づくタイミングで利用者端末に配信情報を配信することができる。
【００１３】
情報配信装置は、情報提供手段による配信情報の提供に関するログをデータベースに記録する手段と、データベースからログを取得して解析する手段とをさらに備えたものとするのが望ましい。これにより、情報配信装置は、利用者端末に対して提供した配信情報のログを取得することができ、また、この取得したログに基づいて配信に関する状況を解析することができる。
【００１４】
上記情報配信システムにおける利用者端末は、前記情報配信装置に対し、電気通信回線を介して接続可能なコンピュータを、情報配信装置に対して配信情報リスト要求を行い、配信情報リストを取得するリスト取得手段、情報配信装置に対し、取得した配信情報リストに基づく情報配信要求を行い、配信情報を取得する情報取得手段、画面上に配置するフレーム内に、情報取得手段により取得した配信情報を表示、または、配信情報以外の情報を表示する情報表示手段、および、情報取得手段による配信情報の取得および情報表示手段による配信情報の表示を、所定のタイミングで行うように制御するタイマ手段として機能させるための配信情報表示プログラムの実行により実現することができる。
【００１５】
ここで、フレーム内には、配信情報のうち動画像を表示する部分と、配信情報のうち文字を表示する部分とを有するものとすれば、利用者に対して動画像により印象強い情報を配信するのと同時に、文字により確実かつ明確な情報を配信することができる。
【００１６】
【発明の実施の形態】
図１は本発明の実施の形態における情報配信システムの構成を示すブロック図である。図１において、本実施形態における情報配信システムは、各配信情報を配信する情報配信装置１と、インターネット等の電気通信回線を介して情報配信装置１に接続可能な利用者端末２と、インターネット等の電気通信回線を介して情報配信装置１に接続可能な各配信情報を提供する情報提供者端末３とにより構成されている。
【００１７】
情報配信装置１は、各配信情報を格納するデータベース（以下「ＤＢ」と称す）１１ａ、ＤＢ１１ａに格納された各配信情報に関する配信情報リストを記録したＤＢ１１ｂ、利用者端末２からの要求に基づいてＤＢ１１ｂの配信情報リストを提供するリスト提供手段１２、利用者端末２からの要求に基づいてＤＢ１１ａの配信情報を提供する情報提供手段１３、および、ＤＢ１１ａの各配信情報とＤＢ１１ｂの配信情報リストを設定する配信設定手段１４等を有する。
【００１８】
本実施形態における情報配信システムにより配信する各配信情報は、動画像や静止画像などの画像、音声、文字等により構成された広告、お知らせ、ニュース、災害情報、交通情報や懸賞等の情報である。各配信情報ファイルは、ロケーション情報としての所定のＵＲＬアドレスにより示されるＤＢ１１ａ内の所定の場所に格納される。
【００１９】
図２および図３はＤＢ１１ｂに記録される配信情報リストの例を示している。図２（ａ）に示す配信情報リストは、基本スケジュール実行用の設定情報が記録された基本設定ファイルである。第１，２行目は、各配信情報の配信のタイミングを示す配信スケジュール情報である。第１行目の４個の数値は、第３行目以降に記されたスケジュールファイルを順に切り替えるまでの時間間隔を示している。図示例では、午前０時からの２４時間を６時間ずつの区切りで、第３行目以降に記された４個のスケジュールファイルを順に切り替え、この切り替えた各スケジュールファイルに順に従って処理を行うことになる。
【００２０】
また、第２行目の数値は、第３行目以降に記された各スケジュールファイルに従って処理を行うときの時間間隔を示している。図示例では、各スケジュールファイルに従って１８０秒間隔で処理を行うことになる。図３（ａ）は配信情報リストとしてのスケジュールファイル“ｔｉｍｅ＿ｔａｂｌｅ１．ｔｘｔ”の例を示している。図３（ａ）に示すスケジュールファイルは、基本スケジュールに従って配信する配信情報に関するリストであって、各配信情報が格納されているＵＲＬアドレス３１、ＵＲＬアドレス３１の示す場所に格納された各配信情報とともに配信するテキスト情報３２、および、テキスト情報３２にリンクするウェブサイトのＵＲＬアドレス３３を記録したものである。
【００２１】
一方、図２（ｂ）に示す配信情報リストは、割込スケジュール実行用の設定情報が記録された割込設定ファイルであり、割込スケジュール実行時に従うスケジュールファイルが記されている。図３（ｂ）はこの割込スケジュール実行時に従うスケジュールファイル（ｓｐｏｔ．ｔｘｔ）の例を示しており、図３（ａ）と同様にＵＲＬアドレス３１やテキスト情報３２等が記録されている。また、このスケジュールファイルには、割り込み処理の終了を示すためのキーワード３４が記録されている。
【００２２】
リスト提供手段１２は、利用者端末２からの配信情報リストの要求に基づいてＤＢ１１ｂに記録した図２や図３に示すような配信情報リストを提供する。情報提供手段１３は、このリスト提供手段１２により提供した配信情報リストに基づいて利用者端末２からＵＲＬアドレスを指定した情報配信要求がなされた場合に、そのＵＲＬアドレスが示すＤＢ１１ａ内の所定の場所に格納された配信情報ファイルを提供する。
【００２３】
配信設定手段１４は、電気通信回線を介して接続する情報提供者端末３によってＤＢ１１ａの各配信情報とＤＢ１１ｂの配信情報リストとを設定可能にする手段である。配信設定手段１４は、情報提供者端末３に対して各配信情報ファイルおよび配信情報リストに含まれる項目の内容を指定するための入力フォームを提供し、この入力フォームによって情報提供者端末３から送信された内容をそれぞれＤＢ１１ａおよびＤＢ１１ｂに登録する。
【００２４】
また、情報配信装置１は、情報提供手段１３による配信情報の提供に関する履歴（ログ）を蓄積するＤＢ１１ｃ、情報提供手段１３による配信情報の提供に関するログをＤＢ１１ｃに記録するログ記録手段１５、およびＤＢ１１ｃからログを取得して解析するログ解析手段１６を有する。
【００２５】
ログ記録手段１５によってＤＢ１１ｃに記録されるログは、例えば情報提供手段１３によって提供した配信情報の内容、配信数、日時等である。ログ解析手段１６はＤＢ１１ｃからこれらのログを取得して、例えば図４に示すような統計データを作成する。この作成した統計データは、情報提供者端末３によって参照することが可能である。
【００２６】
一方、利用者端末２は、通常のコンピュータからなり、本発明の配信情報表示プログラムを実行することにより、情報配信装置１から配信情報リストを取得するリスト取得手段２１、情報配信装置１から配信情報を取得する情報取得手段２２、情報取得手段２２により取得した配信情報等を表示する情報表示手段２３、および、リスト取得手段２１と情報取得手段２２と情報表示手段２３の動作を制御するタイマ手段２３として機能するものである。
【００２７】
リスト取得手段２１は、情報配信装置１に対して配信情報リスト要求を行い、この要求に対してリスト提供手段１２から送信された配信情報リストを取得する。情報取得手段２２は、情報配信装置１に対し、リスト取得手段２１により取得した配信情報リストに基づく情報配信要求を行い、この要求に対して情報提供手段１３から送信された配信情報を取得する。
【００２８】
図５〜図８は情報表示手段２３による表示例であって、図５は利用者端末２の表示画面の全体を示す図、図６，図７，図８は利用者端末２の画面上に配置する配信情報表示ウィンドウの拡大図である。
【００２９】
情報表示手段２３は、図５〜図８に示すように画面上に配信情報等を表示するフレームとしての配信情報表示ウィンドウ４を表示する。図５に示すように、この配信情報表示ウィンドウ４は利用者端末２の表示画面内の一部に配置される小さなウィンドウであり、この利用者端末２によって他の作業を行う際に邪魔にならない程度の大きさである。情報表示手段２３は、このように利用者端末２の表示画面上に配置する配信情報表示ウィンドウ４内に、情報取得手段２３により取得した配信情報（図７参照）やこの配信情報以外の情報（図６，図８参照）を表示する。
【００３０】
例えば、図７に示す例では、情報表示手段２３は、配信情報表示ウィンドウ４内に配信情報のうち動画像を表示する部分（以下、「動画像表示部」と称す）５と、配信情報のうち文字を表示する部分（以下、「文字表示部」と称す）６とを設けている。情報表示手段２３は、動画像表示部５に図３に示すＵＲＬアドレス３１に基づいて情報取得手段２２により取得した配信情報（動画像）を表示する。また、情報表示手段２３は、文字表示部６に図３に示すテキスト情報（文字）３２を表示する。
【００３１】
図６に示す例では、情報表示手段２３は、配信情報表示ウィンドウ４内に、配信情報以外の情報としてカレンダを表示している。また、図８に示す例では、配信情報以外の情報として各種設定メニューを表示している。なお、図８に示す設定メニューは、配信情報表示ウィンドウ４の右上の「ＯＰＥＮ」ボタンを指定することで表示され、「ＣＬＯＳＥ」ボタンを指定することで元の表示へと戻される。
【００３２】
タイマ手段２４は、リスト取得手段２１による配信情報リストの取得、情報取得手段２２による配信情報の取得、および、情報表示手段２３による配信情報の表示を、所定のタイミングで行うように制御する。この制御は、図２（ａ）に示す基本設定ファイルの配信スケジュール情報に基づいて行われる。
【００３３】
上記構成の情報配信システムは以下のように動作する。
【００３４】
まず、利用者端末２を起動し、本発明の配信情報表示プログラムを実行する。リスト取得手段２１は、情報配信装置１に対して配信情報リスト要求を行う。この要求に対して情報配信装置１は、リスト提供手段１２によってＤＢ１１ｂから図２（ａ），（ｂ）に示す配信情報リスト（基本設定ファイル，割込設定ファイル）を取得し、利用者端末２に送信する。
【００３５】
利用者端末２は、この情報配信装置１から送信された基本設定ファイルおよび割込情報ファイルを取得する。タイマ手段２４は、図２（ａ）に示す基本設定ファイルの第１行目の４個の数値に基づき、第３行目以降に記された配信情報リスト（スケジュールファイル）のリスト取得手段２１による取得を午前０時から６時間ずつ順に行うように制御する。
【００３６】
すなわち、リスト取得手段２１は、最初に図２（ａ）の基本設定ファイルの第３行目に記されたスケジュールファイル“ｔｉｍｅ＿ｔａｂｌｅ１．ｔｘｔ”を情報配信装置１に要求する。この要求に対して情報配信装置１のリスト提供手段１２は、ＤＢ１１ｂのスケジュールファイル（図３（ａ））を利用者端末２へ提供する。
【００３７】
この最初のスケジュールファイル“ｔｉｍｅ＿ｔａｂｌｅ１．ｔｘｔ”の取得から６時間後、リスト取得手段２１は、次に図２（ａ）の基本設定ファイルの第４行目に記されたスケジュールファイル“ｔｉｍｅ＿ｔａｂｌｅ２．ｔｘｔ”を情報配信装置１に要求し、情報配信装置１のリスト提供手段１２は、ＤＢ１１ｂの該当するスケジュールファイルを利用者端末２へ提供する。
【００３８】
こうして６時間ごとにリスト取得手段２１は、順次図２（ａ）の基本設定ファイルの第５行目、第６行目にそれぞれ記されたスケジュールファイル“ｔｉｍｅ＿ｔａｂｌｅ３．ｔｘｔ”、“ｔｉｍｅ＿ｔａｂｌｅ４．ｔｘｔ”を取得し、さらに６時間後には再度最初のスケジュールファイル“ｔｉｍｅ＿ｔａｂｌｅ１．ｔｘｔ”を取得する。この動作は、配信情報表示プログラムを停止するまで続けられる。
【００３９】
そして、タイマ手段２４は、図２（ａ）の基本設定ファイルの第２行目に記された数値に基づき、上記のように取得した各スケジュールファイルに従って１８０秒間隔で情報取得手段２２による配信情報の取得および情報表示手段２３による配信情報の表示を行うように制御する。
【００４０】
情報取得手段２２は、例えば図３（ａ）のスケジュールファイルに従う場合、初めに第１行目のＵＲＬアドレス３１に基づいて情報配信要求を行う。情報配信装置１は、この要求に対してＤＢ１１ａから配信情報を取得し、情報提供手段１３により利用者端末２へ提供する。
【００４１】
利用者端末２の情報表示手段２３は、通常時、図６に示すように配信情報表示ウィンドウ４内にカレンダなどの情報を表示しているが、情報配信装置１から提供された配信情報を取得すると、図７に示すように配信情報表示ウィンドウ４内に動画像表示部５と、文字表示部６とを設け、それぞれにＵＲＬアドレス３１に基づいて取得した配信情報とテキスト情報３２を表示する。
【００４２】
なお、この配信情報表示ウィンドウ４内に表示したテキスト情報３２部分は、図３の配信情報リストに記録されたＵＲＬアドレス３３の示すウェブサイトへのリンクボタンとなっている。ここで、利用者からこのリンクボタンの指定がなされると、利用者端末２はＵＲＬアドレス３３の示すウェブサイトから情報を取得し、図５に示す利用者端末２の画面上にブラウザ等により表示する。
【００４３】
そして、情報表示手段２３は、図３（ａ）のスケジュールファイルの１の行に記された情報に基づく配信情報の表示が終了すると、配信情報表示ウィンドウ４内の表示を通常時の表示へと戻す。そして、次の表示タイミング（１８０秒後）に、図３（ａ）のスケジュールファイルの次の行に記された情報に基づいて上記と同様に配信情報の表示を行う。スケジュールファイルの最後の行に基づく配信情報の表示が終了した後には、再度第１行目に戻って上記動作を繰り返す。
【００４４】
ところで、本実施形態における情報配信システムでは、リスト取得手段２１は上記基本設定ファイルの取得時に割込設定ファイルも取得している。この割込設定ファイルに何も記述がない（ｖｏｉｄ）場合、タイマ手段２４は上記のように基本設定ファイルに記述されたスケジュールに基づいて制御を行うが、図２（ｂ）に示すようにスケジュールファイルが指定されている場合にはこのスケジュールファイル“ｓｐｏｔ．ｔｘｔ”に基づく割り込み制御を行う。
【００４５】
このスケジュールファイル“ｓｐｏｔ．ｔｘｔ”に図３（ｂ）に示すような情報が記述されている場合、利用者端末２の情報取得手段２２は、基本設定ファイルに記述されたスケジュールファイルに優先して図３（ｂ）の第１行目のＵＲＬアドレス３１に基づいて情報配信要求を行う。その後の処理については前述と同様であるが、このスケジュールファイルの割り込み処理の終了を示すためのキーワード３４に達すると、タイマ手段２４は元のスケジュールに処理を戻す。
【００４６】
このように、本実施形態における情報配信システムでは、利用者端末２の画面上に配置する配信情報表示ウィンドウ４内に、通常はカレンダ等の配信情報以外の情報を表示するが、情報配信装置１から取得した配信情報リストのＵＲＬアドレス３１に基づいて所定のタイミングで配信情報を取得し、取得した配信情報を前記カレンダ等に代えて配信情報表示ウィンドウ４内に表示する。したがって、情報提供者は、情報提供者端末３から情報配信装置１へ接続し、利用者に見せたい広告等の配信情報を配信設定手段１４により設定することで、利用者端末２に所定のタイミングで配信情報を配信することができる。
【００４７】
さらに、情報提供者は、情報提供者端末３から情報配信装置１へ接続し、利用者に広告等の配信情報を見せたいタイミングを配信設定手段１４により設定することができるため、この設定したタイミングで利用者端末２に配信情報を配信することも可能である。なお、この配信情報を表示するタイミングは、利用者端末１側で設定するように構成することも可能である。
【００４８】
また、利用者端末２に表示される配信情報表示ウィンドウ４内には、配信情報のうち動画像を表示する動画像表示部５と、文字を表示する文字表示部６とが設けてあるため、利用者に対して動画像により印象強い情報を配信するのと同時に、文字により確実かつ明確な情報を配信することが可能である。
【００４９】
さらに、本実施形態における情報配信システムでは、情報提供手段１３により提供した配信情報の内容、配信数、日時等のログをログ記録手段１５によってＤＢ１１ｃに記録しているため、情報提供者は、情報提供者端末３から情報配信装置１へ接続し、図４に示すようなログ（統計データ）を取得することができ、この取得したログに基づいて配信に関する状況を解析することも可能である。
【００５０】
【発明の効果】
本発明によれば、以下の効果を奏することができる。
【００５１】
（１）利用者端末の画面上に配置するフレーム内に、通常はカレンダ、時刻や画像等の配信情報以外の情報を表示し、情報配信装置から取得した配信情報リストのロケーション情報に基づいて所定のタイミングで配信情報を取得し、取得した配信情報を前記カレンダ等に代えてフレーム内に表示する構成によって、情報提供者は、利用者に見せたい広告等の配信情報を利用者自身の行為に依存することなく利用者端末に所定のタイミングで配信することができ、配信情報が広告の場合には費用対効果も大いに期待できる。
【００５２】
（２）情報配信装置が、電気通信回線を介して接続する情報提供者端末により配信情報リストを設定可能とする配信設定手段をさらに備えたことにより、情報提供者は、電気通信回線を介して接続する情報提供者端末によって配信情報リストを設定することで、利用者に配信する配信情報の内容を自由に変更し、さまざまな情報を自由に配信することが可能となる。
【００５３】
（３）配信情報リストが、各配信情報の配信のタイミングを示す配信スケジュール情報を含むものであり、タイマ手段が、配信スケジュール情報に基づいたタイミングで制御するものであることにより、情報提供者は、利用者に広告等の配信情報を見せたいタイミングを自由に設定し、この配信スケジュール情報に基づくタイミングで利用者端末に配信情報を配信することが可能となる。
【００５４】
（４）情報配信装置が、情報提供手段による配信情報の提供に関するログをデータベースに記録する手段と、データベースからログを取得して解析する手段とをさらに備えたことにより、情報配信装置は、利用者端末に対して提供した配信情報のログを取得することができ、この取得したログに基づいて配信に関する状況を解析することが可能となる。
【００５５】
（５）フレーム内に、配信情報のうち動画像を表示する部分と、配信情報のうち文字を表示する部分とを有することにより、利用者に対して動画像により印象強い情報を配信するのと同時に、文字により確実かつ明確な情報を配信することが可能となる。
【図面の簡単な説明】
【図１】本発明の実施の形態における情報配信システムの構成を示すブロック図である。
【図２】配信情報リストの例であって、（ａ）は基本設定ファイルを示す図、（ｂ）は割込設定ファイルを示す図である。
【図３】スケジュールファイルの例であって、（ａ）は基本スケジュールを示す図、（ｂ）は割込スケジュールを示す図である。
【図４】ログ解析結果画面の例を示す図である。
【図５】利用者端末の表示画面の全体を示す図である。
【図６】図５の配信情報表示ウィンドウの拡大図である。
【図７】図５の配信情報表示ウィンドウに表示される配信情報の例を示す図である。
【図８】図５の配信情報表示ウィンドウに表示されるその他の配信情報の例を示す図である。
【符号の説明】
１　情報配信装置
２　利用者端末
３　情報提供者端末
４　配信情報表示ウィンドウ
５　動画像表示部
６　文字表示部
１１ａ，１１ｂ，１１ｃ　データベース（ＤＢ）
１２　リスト提供手段
１３　情報提供手段
１４　配信設定手段
１５　ログ記録手段
１６　ログ解析手段
２１　リスト取得手段
２２　情報取得手段
２３　情報表示手段
２４　タイマ手段
３１，３３　ＵＲＬアドレス
３２　テキスト情報
３４　キーワード
【図１】
2004021651.tif 000003
【図２】
2004021651.tif 000004
【図３】
2004021651.tif 000005
【図４】
2004021651.tif 000006
【図５】
2004021651.tif 000007
【図６】
2004021651.tif 000008
【図７】
2004021651.tif 000009
【図８】
2004021651.tif 000010